(57)【要約】【課題】屋上庭園の土壌と屋上面を隔てる遮水シートからの漏水をいち早く検出し被害を最小限に抑える手段の提供にある。さらに、屋上庭園に芝生を貼った場合に、地上と同様に芝生内に立ち入り自由とする芝生の保護方法の提供にある。【解決手段】脚部と平板部からなる単位部材を屋上面に敷き設することにより第２平面を形成し、該第２平面上に遮水性シートを敷き設し、該遮水性シート上に植物育成用の土壌を敷設することにより第２平面を緑化用に使用する。屋上面と前記第２平面との間に空間を設けた屋上緑化構造物である。この隙間を利用して第２平面からの漏水の事実、漏水個所を検知するものである。本屋上緑化構造物上に網体を被せ、荷重を網体で支えることにより、芝生に直接荷重を掛からないようにすることによって芝生内に人の立ち入りを許す屋上緑化構造物である。【選択図】図１
2004089149.tif 000002
【特許請求の範囲】
【請求項１】
脚部と平板部からなる単位部材を屋上面に敷き設することにより第２平面を形成し、該第２平面上に遮水性シートを敷き設し、該遮水性シート上に植物育成用の土壌を入れることにより屋上面と前記第２平面間に空間を設けたことを特徴とする屋上緑化構造物。
【請求項２】
長手方向に接合可能なＵ字状部材を屋上面に敷き設し、得られた長いＵ字状部材接合物を密着しながら配設し、前記Ｕ字状部材内に植物育成用の土壌を充填して植物の育成土壌となし、当該育成土壌上に網体を被せたことを特徴とする屋上緑化構造物。
【請求項３】
請求項１記載の屋上緑化構造物上に網体を被せたことを特徴とする屋上緑化構造物。
【発明の詳細な説明】
【０００１】
【発明の属する技術分野】
本発明は、屋上緑化技術に属する。
【０００２】
【従来の技術】
ヒートアイランド現象の緩和は緑地面積を拡大することにある。しかしながら、ヒートアイランド現象は緑地化する土地の少ない都市部において著しい。そのためビルの屋上が緑化の対象となっているが、屋上は植物の育成のためにはきわめて条件が厳しいと同時に屋上面の遮水の問題を解決することが屋上緑化の条件となっている。このため屋上緑化は、先ず屋上を遮水し、雨水あるいは散水による水が屋上から建物内部に浸透させないことが必須条件である。
【０００３】
屋上の遮水は、図６に示すように、遮水シート例えば合成ゴム製のシート類を屋上面に敷き詰め、その上に植物の育成に必要な土壌として一般的には重量を軽減するため軽量土壌、例えばパーキュムライト、パーライト等あるいはこれらを含む人口土壌を入れ、その環境に適した植物を移植あるいは育てて緑地としている。
しかしながら敷き設した遮水シートの施工ミスあるいは植物の成長の過程で破損の場合、雨水あるいは散水された水が屋上まで浸透し、屋上のひび等から建物内に滲入して始めてその破損がわかる。それまでかなりの時間が経過するため気が付いたときには浸水による被害が拡大することとなる。
【０００４】
【発明が解決しようとする課題】
本発明は、上記遮水シートからの漏水をいち早く検出し被害を最小限に抑える手段の提供にある。さらに、屋上庭園に芝生を貼った場合に、地上と同様に芝生内に立ち入り自由とする芝生の保護方法の提供にある。
【０００５】
【課題を解決するための手段】
本発明の第１の発明は、脚部と平板部からなる単位部材を屋上面に敷き設することにより第２平面を形成し、該第２平面上に遮水性シートを敷き設し、該遮水性シート上に植物育成用の土壌を入れることにより屋上面と前記第２平面間に空間を設けたことを特徴とする屋上緑化構造物である。
本発明の第２の発明は、長手方向に接合可能なＵ字状部材を屋上面に敷き設し、得られた長いＵ字状部材接合物を密着しながら配設し、前記Ｕ字状部材内に植物育成用の土壌を充填して植物の育成土壌となし、当該育成土壌上に網体を被せたことを特徴とする屋上緑化構造物である。
本発明の第３の発明は、第１の発明記載の屋上緑化構造物上に網体を被せたことを特徴とする屋上緑化構造物である。
【０００６】
【発明の実施の形態】
以下本発明を図を用いて、より詳細に説明する。
図１は、本第１の発明の屋上緑化構造物の概念図である。
【０００７】
本発明の屋上緑化構造物は脚部と平板部からなる単位部材を屋上面に敷き設し、屋上面と平行な第２平面を構成する。第２平面上に遮水性のシートを敷きその上に植物が生育するための土壌を入れるものである。その結果、屋上と緑化の対象面となる第２平面間には脚部の高さに相当する空間が出現する。この空間を用いて目視によりあるいはセンサーを配置することにより遮水シートが破損した場合あるいは施工上の不都合から漏水等生じた場合速やかに検知できるため、また漏水個所の特定が可能となるため、漏水の被害が建屋内に及ぶ前に遮水シートの修理、取り替えが可能となる。
【０００８】
上記単位部材は、屋上と単位部材の平板部が構成する第２平面部との間に空間が構成され、その空間内を目視によりあるいはセンサーにより点検可能となっていればよい。単位部材の脚部の配列が直線状になっていることが好ましい。
図は前記平板部の中心に１つあるものを示しているが、図４に示すように周辺に設けてもあるいは複数本設けてもよく、その場所、形状、本数及び施工上、安全上の問題がなければその高さにも制限はない。単位部材の平板部の大きさも施工上の条件の許容範囲でその面積を変えることができる。
【０００９】
図２は、本第２の発明の屋上緑化構造物の概念図である。
図はＵ字状部材の長手方向に接続した溝中に植物が生育するための土壌を入れて横に並べたものであり、その並べられた断面を示している。その上部に網目体を設置し、土壌上に荷重が掛かった場合にその荷重を網目体で受け網目の目の部分から生育している芝生及び芝生が根を張っている土壌に直接荷重が掛からないようにしたものである。人が芝生内に立ち入っても土壌が荷重により固く締まらないようなる。
【００１０】
またＵ字状部材を長手方向に接続した溝内に植物を育成するため根が長手方向に成長するため植物成長を妨げず乾燥に強くなる。必要に応じて図２に示すようにＵ字状部材の短手方向に接合できるようＵ字状部材の側面に互いに契合可能な契合部を設けておくことも可能である。また、各Ｕ字状部材の短手方向の端部を着脱可能な板材として容器状となし植物の幼苗を育てる育成箱とし、屋上に設置する際前記板材を外し並べてもよい。Ｕ字状部材の長手方向への接続は、例えばその一端を絞り他端部に挿入可能とすることで可能となる。その接続方法に制限はない。Ｕ字状部材は図５に示すように特に屋上面に傾斜のついている場合などにも適用できるようその底部に適宜突部を設け中の土壌を固定できるようにしておくことも可能である。
【００１１】
芝生等の匍匐性植物を育成し、なおかつ芝生面を人が立ち入り可能とするための網目体はプラスチック製の格子状のもの、あるいはリングを連結した物等であり、各種市販されている物（例えば、グリーンテクター、グリーンブロック等）の中から適宜選択することができる。荷重を網目体の線あるいは点で受け網目体の網目の部分に荷重が掛からない構造となっていればよい。
【００１２】
第３の発明は、図３に示すように第１の発明の屋上緑化構造物の上部に第２の発明に使用する網目体を敷き設したものである。芝生内への人の立ち入りを許容するとともに、屋上面と土壌とを隔離する遮水性シートの破損等による水の漏洩をいち早く検出可能とするものである。
【００１３】
これら屋上緑化構造物に使用される植物育成用の土壌は、従来使用されるものと何ら変わるものではない。建て屋の許容される重量以下となるよう適宜軽量土壌として使用される各種のものを単独あるいは混合して使用することができる。
【発明の効果】
本第１の発明は、上記説明の通り、屋上面と土壌とを隔離する遮水性シートとの間に空間を設けてあるため、目視によりあるいはセンサーにより遮水性シートの破損あるいは敷き設時の施工ミスによる水の漏洩を簡単に検知することが可能となる。第２の発明は、土壌上に網目体を被せてあるためその上を人が歩いてもその荷重が直接芝生に伝わることがないため芝生をいためることがない。第３の発明は第１の発明の水の漏洩の検知を容易にする特徴と、第２の発明の芝生の保護を兼ね備えた効果がある。
【図面の簡単な説明】
【図１】は、本第１の発明の屋上緑化構造物の概念図である。
【図２】は、本第２の発明の屋上緑化構造物の概念図である。
【図３】は、本第３の発明の屋上緑化構造物の概念図である。
【図４】は、単位部材の一例を示す図である。
【図５】は、Ｕ字状部材の一例を示す図である。
【図６】は、従来の屋上緑化構造物の概念図である。
【符号の説明】
１　単位部材
２　屋上
３　遮水シート
４　土壌
５　網目体
６　Ｕ字状部材
【図１】
2004089149.tif 000003
【図２】
2004089149.tif 000004
【図３】
2004089149.tif 000005
【図４】
2004089149.tif 000006
【図５】
2004089149.tif 000007
【図６】
2004089149.tif 000008